(57)【要約】【課題】消耗部品の耐久寿命を正確に予測および判定することが可能な画像形成装置を提供する。【解決手段】画像形成装置は、所定の動作に用いられる消耗部品と、消耗部品に係る動作時に発生する音の周波数解析情報を取得する周波数取得部と、周波数取得部により取得された周波数解析情報と、所定周波数解析情報との周波数変化量を算出する算出部と、算出部により算出された周波数変化量に基づいて、消耗部品の耐久状態を判定する判定部と、を備える。【選択図】図２
2019095556.tif 000002
【特許請求の範囲】
【請求項１】
所定の動作に用いられる消耗部品と、
前記消耗部品に係る動作時に発生する音の周波数解析情報を取得する周波数取得部と、
前記周波数取得部により取得された前記周波数解析情報と、所定周波数解析情報との周波数変化量を算出する算出部と、
前記算出部により算出された前記周波数変化量に基づいて、前記消耗部品の耐久状態を判定する判定部と、
を備える画像形成装置。
【請求項２】
所定の動作に用いられる消耗部品と、
前記消耗部品に係る動作時に発生する音の周波数解析情報を取得する周波数取得部と、
前記周波数取得部により取得された前記周波数解析情報と、所定周波数解析情報との周波数変化量を算出する算出部と、
前記算出部により算出された前記周波数変化量に基づいて、前記消耗部品の耐久寿命を予測する予測部と、
を備える画像形成装置。
【請求項３】
前記予測部により予測された予測耐久寿命に応じて、前記消耗部品の耐久寿命を前記予測耐久寿命よりも長くする否かについて判定する制御部を備える、
請求項２に記載の画像形成装置。
【請求項４】
前記算出部は、前記周波数解析情報における前記音に関するパラメーターの第１特徴部分に対応する第１周波数と、前記所定周波数解析情報における前記音に関するパラメーターの第２特徴部分に対応する第２周波数との差分を算出する、
請求項１〜３の何れか１項に記載の画像形成装置。
【請求項５】
前記第１特徴部分は、前記周波数解析情報における前記音に関するパラメーターのピーク値であり、
前記第２特徴部分は、前記周波数解析情報における前記音に関するパラメーターのピーク値である、
請求項４に記載の画像形成装置。
【請求項６】
前記周波数解析情報の履歴情報を記憶する記憶部を備え、
前記算出部は、前記記憶部に記憶される前記履歴情報を前記所定周波数解析情報として、前記周波数変化量を算出する、
請求項１〜５の何れか１項に記載の画像形成装置。
【請求項７】
前記算出部は、前記消耗部品の初期状態における周波数解析情報を前記所定周波数解析情報として、前記周波数変化量を算出する、
請求項１〜６の何れか１項に記載の画像形成装置。
【請求項８】
前記消耗部品に係る動作時に発生する音を取得し、当該音の周波数解析を行う周波数解析部を備える、
請求項１〜７の何れか１項に記載の画像形成装置。
【請求項９】
前記消耗部品に係る動作時に発生する音を集音する集音部を備える、
請求項１〜８の何れか１項に記載の画像形成装置。
【発明の詳細な説明】
【技術分野】
【０００１】
本発明は、画像形成装置に関する。
【背景技術】
【０００２】
一般に、電子写真プロセス技術を利用した画像形成装置（プリンター、複写機、ファクシミリ等）は、帯電した感光体ドラム（像担持体）に対して、画像データに基づくレーザー光を照射（露光）することにより静電潜像を形成する。そして、静電潜像が形成された感光体ドラムへ現像装置よりトナーを供給することにより静電潜像を可視化してトナー像を形成する。さらに、このトナー像を直接または間接的に用紙に転写させた後、定着ニップで加熱、加圧して定着させることにより用紙にトナー像を形成する。
【０００３】
画像形成装置において、画像形成に用いられる消耗部品の耐久寿命は、例えば、印刷枚数に応じて設定される。しかし、印刷に用いられる用紙の坪量、画像形成される画像のカバレッジ、印刷速度、温度条件、定着ニップ等の圧等の画像形成装置の使用条件がユーザーによって異なる場合がある。
【０００４】
例えば、印刷速度が高速に設定された条件であって、厚紙を印刷する場合と、印刷速度が低速に設定された条件であって、薄紙を印刷する場合とでは、消耗部品の劣化度合いが異なる。つまり、ユーザーの使用条件に応じて、消耗部品の耐久寿命が異なるので、消耗部品が、常に設定された耐久寿命通りに耐久寿命を迎えるとは限らない。
【０００５】
そこで、例えば、特許文献１には、周波数特性における音量のピーク値が規定値より大きいか否かについて判定することで、使用過多に起因した消耗部品の劣化を予測および判定する構成が開示されている。
【先行技術文献】
【特許文献】
【０００６】
【特許文献１】特開２００４−２２６４８２号公報
【発明の概要】
【発明が解決しようとする課題】
【０００７】
しかしながら、特許文献１に記載の構成では、音量のピーク値が規定値を超えないものの、正常動作時とは異なる高音や、低音の異常音については、使用過多に起因した消耗部品の劣化を判定することができない。すなわち、特許文献１に記載の構成では、消耗部品の耐久寿命を予測および判定する構成として一定の限界のある構成となっていた。
【０００８】
本発明の目的は、消耗部品の耐久寿命を正確に予測および判定することが可能な画像形成装置を提供することである。
【課題を解決するための手段】
【０００９】
本発明に係る画像形成装置は、
所定の動作に用いられる消耗部品と、
前記消耗部品に係る動作時に発生する音の周波数解析情報を取得する周波数取得部と、
前記周波数取得部により取得された前記周波数解析情報と、所定周波数解析情報との周波数変化量を算出する算出部と、
前記算出部により算出された前記周波数変化量に基づいて、前記消耗部品の耐久状態を判定する判定部と、
を備える。
【発明の効果】
【００１０】
本発明によれば、消耗部品の耐久寿命を正確に予測および判定することができる。
【図面の簡単な説明】
【００１１】
【図１】本発明の実施の形態に係る画像形成装置の全体構成を概略的に示す図である。
【図２】本実施の形態に係る画像形成装置の制御系の主要部を示す図である。
【図３】定着部の拡大図である。
【図４】音の強度における周波数特性を示す図である。
【図５】耐久寿命予測制御を説明するための図である。
【図６】耐久寿命予測制御を説明するための図である。
【図７】予測耐久寿命を長くする制御を説明するための図である。
【図８】画像形成装置における耐久寿命予測判定制御を実行するときの第１動作例を示すフローチャートである。
【図９】画像形成装置における耐久寿命予測判定制御を実行するときの第２動作例を示すフローチャートである。
【発明を実施するための形態】
【００１２】
以下、本発明の実施の形態を図面に基づいて詳細に説明する。図１は、本発明の実施の形態に係る画像形成装置１の全体構成を概略的に示す図である。図２は、本実施の形態に係る画像形成装置１の制御系の主要部を示す図である。
【００１３】
図１に示すように、画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、給紙トレイユニット５１ａ〜５１ｃから送出された用紙Ｓに二次転写することにより、画像を形成する。
【００１４】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１５】
図２に示すように、画像形成装置１は、画像読取部１０、操作表示部２０、画像処理部３０、画像形成部４０、用紙搬送部５０、定着部６０および制御部１０１を備える。
【００１６】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３から処理内容に応じたプログラムを読み出してＲＡＭ１０４に展開し、展開したプログラムと協働して画像形成装置１の各ブロック等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００１７】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データ（入力画像データ）を受信し、この画像データに基づいて用紙Ｓに画像を形成させる。通信部７１は、例えばＬＡＮカード等の通信制御カードで構成される。
【００１８】
制御部１０１は、後述する集音部材７３により集音された音を取得し、当該音に基づいて、定着部６０の消耗部品における耐久寿命判定制御および耐久寿命予測制御を行う。耐久寿命判定制御および耐久寿命予測制御については後述する。
【００１９】
図１に示すように、画像読取部１０は、ＡＤＦ（Auto Document Feeder）と称される自動原稿給紙装置１１および原稿画像走査装置１２（スキャナー）等を備えて構成される。
【００２０】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２１】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２２】
図２に示すように、操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１０１に出力する。
【００２３】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２４】
図１に示すように、画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２５】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２６】
画像形成ユニット４１は、露光装置４１１、現像装置４１２、感光体ドラム４１３、帯電装置４１４、及びドラムクリーニング装置４１５等を備える。
【００２７】
感光体ドラム４１３は、例えばドラム状の金属基体の外周面に、有機光導電体を含有させた樹脂よりなる感光層が形成された有機感光体よりなる。
【００２８】
制御部１０１は、感光体ドラム４１３を回転させる駆動モーター（図示略）に供給される駆動電流を制御することにより、感光体ドラム４１３を一定の周速度で回転させる。
【００２９】
帯電装置４１４は、例えば帯電チャージャーであり、コロナ放電を発生させることにより、光導電性を有する感光体ドラム４１３の表面を一様に負極性に帯電させる。
【００３０】
露光装置４１１は、例えば半導体レーザーで構成され、感光体ドラム４１３に対して各色成分の画像に対応するレーザー光を照射する。その結果、感光体ドラム４１３の表面のうちレーザー光が照射された画像領域には、背景領域との電位差により各色成分の静電潜像が形成される。
【００３１】
現像装置４１２は、二成分逆転方式の現像装置であり、感光体ドラム４１３の表面に各色成分の現像剤を付着させることにより静電潜像を可視化してトナー像を形成する。
【００３２】
現像装置４１２には、例えば帯電装置４１４の帯電極性と同極性の直流現像バイアス、または交流電圧に帯電装置４１４の帯電極性と同極性の直流電圧が重畳された現像バイアスが印加される。その結果、露光装置４１１によって形成された静電潜像にトナーを付着させる反転現像が行われる。
【００３３】
ドラムクリーニング装置４１５は、感光体ドラム４１３の表面に当接され、弾性体よりなる平板状のドラムクリーニングブレード等を有し、中間転写ベルト４２１に転写されずに感光体ドラム４１３の表面に残留するトナーを除去する。
【００３４】
中間転写ユニット４２は、中間転写ベルト４２１、一次転写ローラー４２２、複数の支持ローラー４２３、二次転写ローラー４２４、及びベルトクリーニング装置４２６等を備える。
【００３５】
中間転写ベルト４２１は無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３６】
中間転写ベルト４２１は、導電性および弾性を有するベルトであり、表面に高抵抗層を有する。中間転写ベルト４２１は、制御部１０１からの制御信号によって回転駆動される。
【００３７】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３８】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００３９】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり一次転写ローラー４２２と当接する側にトナーと逆極性の電荷を付与することにより、トナー像は中間転写ベルト４２１に静電的に転写される。
【００４０】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側、つまり二次転写ローラー４２４と当接する側にトナーと逆極性の電荷を付与することにより、トナー像は用紙Ｓに静電的に転写される。トナー像が転写された用紙Ｓは定着部６０に向けて搬送される。
【００４１】
ベルトクリーニング装置４２６は、二次転写後に中間転写ベルト４２１の表面に残留する転写残トナーを除去する。
【００４２】
定着部６０は、用紙Ｓの定着面、つまりトナー像が形成されている面側に配置される定着面側部材を有する上側定着部６０Ａ、用紙Ｓの裏面つまり定着面の反対の面側に配置される裏面側支持部材を有する下側定着部６０Ｂ、および加熱源等を備える。定着面側部材に裏面側支持部材が圧接されることにより、用紙Ｓを挟持して搬送する定着ニップが形成される。
【００４３】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。
【００４４】
上側定着部６０Ａは、定着面側部材である無端状の定着ベルト６１、加熱ローラー６２およびパッド部材６４を有する。定着ベルト６１は、加熱ローラー６２とパッド部材６４とによって張架されている。
【００４５】
下側定着部６０Ｂは、裏面側支持部材である加圧ローラー６３を有する。加圧ローラー６３は、定着ベルト６１との間で用紙Ｓを挟持して搬送する定着ニップを形成している。
【００４６】
また、図３に示すように、定着ベルト６１とパッド部材６４との間には、摺動シート６５が設けられている。摺動シート６５は、パッド部材６４と定着ベルト６１との間の摩擦抵抗を低減するためのシートである。摺動シート６５としては、基材が織布構造を有するガラス繊維等であり、表層にＰＴＦＥ等のフッ素系樹脂をコーティングしたものが用いられる。
【００４７】
また、定着部６０における定着ニップの下流側には、集音部の一例としての集音部材７３が設けられている。集音部材７３は、定着ニップ付近で発生する音を集音する。集音部材７３により集音された音は、制御部１０１における、後述する耐久寿命判定制御および耐久寿命予測制御に用いられる。
【００４８】
図１に示すように、用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。搬送経路部５３は、レジストローラー対５３ａを含む複数の搬送ローラー対を有する。レジストローラー対５３ａが配設されたレジストローラー部は、用紙Ｓの傾きおよび片寄りを補正する。
【００４９】
給紙トレイユニット５１ａ〜５１ｃに収容されている用紙Ｓは、最上部から一枚ずつ送出され、搬送経路部５３により画像形成部４０に搬送される。画像形成部４０においては、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。
【００５０】
次に、制御部１０１における耐久寿命判定制御について説明する。
画像形成装置１において、定着部６０における所定の動作に用いられる消耗部品、例えば、摺動シート６５の耐久寿命は、印刷枚数等に応じて設定される。なお、以下の説明では、消耗部品を摺動シート６５として説明する。
【００５１】
しかし、摺動シート６５に設定された耐久寿命は、印刷に用いられる用紙の坪量、画像形成される画像のカバレッジ、印刷速度、温度条件、定着ニップの圧等の条件の変化が考慮されていない。
【００５２】
例えば、印刷速度が高速に設定された条件であって、厚紙を印刷する第１条件と、印刷速度が低速に設定された条件であって、薄紙を印刷する第２条件とでは、摺動シート６５の劣化度合いが異なる。
【００５３】
具体的には、第１条件の場合、第２条件と比較して、印刷速度が速く、かつ、定着ニップにおける圧が大きいので、摺動シート６５の表層が定着ベルト６１により摩耗しやすくなり、結果的に摺動シート６５の耐久寿命が第２条件よりも短くなる。つまり、ユーザーの使用方法に応じて、摺動シート６５の耐久寿命が異なるので、摺動シート６５が、常に設定された耐久寿命通りに耐久寿命を迎えるとは限らない。
【００５４】
そこで、制御部１０１は、集音部材７３により集音された音の周波数解析を行うことで、当該周波数解析の解析結果を示す音の周波数特性である周波数解析情報を取得する。制御部１０１は、所定周波数解析情報を記憶部７２等から読み出して、周波数解析情報と所定周波数解析情報との周波数変化量を算出し、当該周波数変化量に基づいて摺動シート６５の耐久状態を判定する。制御部１０１は、本発明の「算出部」および「判定部」に対応する。
【００５５】
所定周波数解析情報は、例えば、摺動シート６５の初期状態時における、集音部材７３により集音された音の周波数特性を示し、記憶部７２等に記憶される。具体的には、例えば、摺動シート６５が新品に交換された際に、初期動作時における、集音部材７３により集音された音を制御部１０１が取得し、当該音の周波数解析を行うことで生成された周波数特性が所定周波数解析情報として記憶部７２等に記憶される。なお、所定周波数解析情報は、予め実験等により得られた周波数特性等であっても良い。
【００５６】
摺動シート６５に係る動作時に集音された音における周波数特性においては、例えば、図４に示す実線Ｌ１のように、低周波数帯（例えば、１ｋＨｚ未満）において、音の強度が、他の部分よりも突出する突出部Ｍが得られることが確認されている。突出部Ｍは、本発明の「第２特徴部分」に対応する。
【００５７】
図４では、例えば、定着部６０のウォームアップ時に、定着ベルト６１が数回転する間において集音された音に基づく音の強度の周波数特性が示されており、音の強度の各値として、数回転する定着ベルト６１の一回転分の平均値が示されている。
【００５８】
音の強度は、音に関するパラメーターであり、例えば、摺動シート６５に係る動作時における振動数や、摺動シート６５に係る動作時に発生する音の大きさや音圧である。
【００５９】
しかし、その一方で摺動シート６５の耐久が進行すると、当該摺動シート６５に係る動作時に発生する音が徐々に変化する。例えば、定着部６０における摺動シート６５は、定着ベルト６１とパッド部材６４との間に挟まれていることから、定着ベルト６１が回転することにより、摺動シート６５の表層におけるコーティング部分が摩耗していく。摺動シート６５が摩耗していくと、摺動シート６５と定着ベルト６１との間における摩擦抵抗が増大するので、定着ニップ部分において発生する音が徐々に変化する。
【００６０】
このように、摺動シート６５の表層におけるコーティング部分が摩耗した状態における、音の周波数特性は、図４に示す破線Ｌ２のような特性となることが確認されている。破線Ｌ２の特性は、周波数全体として、実線Ｌ１と同一又は類似した特徴部分を有する周波数特性となる。しかし、破線Ｌ２における低周波数帯において、破線Ｌ２の他の部分よりも突出する部分である第１突出部Ｍ１が、実線Ｌ１の初期状態における突出部Ｍに対して異なる周波数となる位置に位置する。第１突出部Ｍ１は、本発明の「第１特徴部分」に対応する。
【００６１】
つまり、第１突出部Ｍ１のピーク値に対応する第１周波数Ｗ１が、突出部Ｍのピーク値に対応する第２周波数Ｗ２に対して変動する。図４では、第１周波数Ｗ１が第２周波数Ｗ２よりも大きくなる側に変動する例を示している。
【００６２】
また、高周波数帯（例えば、１０ｋＨｚ前後）において、破線Ｌ２においては、実線Ｌ１の初期状態よりも音の強度が突出する第２突出部Ｍ２が現れる。このように、摺動シート６５の表層におけるコーティング部分が摩耗すると、音の周波数特性において顕著な違いが示される。
【００６３】
ここで、摺動シート６５に係る動作時に発生する音における音量の大きさで耐久状態を判定する場合、予め設定された閾値よりも大きい音量でなければ、耐久寿命を迎えたか否かについて判定できない可能性がある。つまり、音量のピーク値が閾値を超えないものの、正常動作時とは異なる高音や、低音の異常音については、使用過多に起因した摺動シート６５の劣化を判定することができない。
【００６４】
例えば、摺動シート６５が耐久寿命を迎えて破損してしまうと、大きい音が発生し、高周波数帯における音の強度に、第２突出部Ｍ２が発生するような変動が見られる。このような場合、例えば、周波数特性全体の音量の平均値を監視することにより、摺動シート６５の劣化を判定することが可能であると考えられる。
【００６５】
しかし、摺動シート６５の劣化が進行していくと、低周波数帯においてピーク値に対応する周波数が変動する傾向が見られるが、周波数特性全体の音量の平均値においては、第２突出部Ｍ２が発生しない限り、さほど変動しないと考えられる。そのため、このような場合、音量により摺動シート６５の劣化を判定できない可能性があるが、このような周波数の変動を監視することで、摺動シート６５の耐久状態を正確に認識することが可能であると考えられる。
【００６６】
そのため、本実施の形態では、周波数解析情報と所定周波数解析情報との間の周波数変化量に基づいて摺動シート６５の耐久状態を判定するので、摺動シート６５に係る動作時に発生する音の変化を正確に認識し、ひいては摺動シート６５の耐久状態を正確に判定することができる。
【００６７】
具体的には、制御部１０１は、周波数変化量として第１周波数Ｗ１と第２周波数Ｗ２との差分を算出し、当該差分が所定周波数（例えば、１００Ｈｚ）以上である場合、摺動シート６５が耐久寿命であると判定する。所定周波数は、例えば、摺動シート６５が新品状態から、耐久寿命を迎えた状態又は耐久寿命に極めて近い状態における周波数の変化量を示す値等であり、実験やシミュレーション等により適宜設定される値である。
【００６８】
また、制御部１０１は、周波数解析情報と所定周波数解析情報との間における、高周波数帯において、音の強度に変化があった場合、摺動シート６５が耐久寿命であると判定しても良い。
【００６９】
次に、制御部１０１における耐久寿命予測制御について説明する。
上述したように、周波数変化量により摺動シート６５の音の変化を正確に認識できるため、制御部１０１は、周波数変化量に基づいて摺動シート６５の耐久寿命を予測する。制御部１０１は、本発明の「予測部」に対応する。
【００７０】
具体的には、図５に示すように、制御部１０１は、摺動シート６５の駆動時間がＴ１のときの周波数変化量と、駆動時間がＴ１より長いＴ２のときの周波数変化量とをそれぞれ算出し、これらの周波数変化量から、当該周波数変化量が所定周波数Ｖ０に到達する駆動時間を予測する。
【００７１】
例えば、駆動時間がＴ１の時の周波数変化量が０であり、駆動時間がＴ２の時の周波数変化量がＶ１である場合、縦軸を周波数変化量とし、横軸を駆動時間としたグラフに、各駆動時間の周波数変化量をプロットする。そして、制御部１０１は、この２点を通る直線の延長線Ｅ１を形成し、当該延長線Ｅ１が所定周波数Ｖ０と交わるときの駆動時間であるＴ３を、摺動シート６５が耐久寿命になる時間と予測する。
【００７２】
駆動時間がＴ１のときの周波数変化量は、例えば、記憶部７２に、駆動時間がＴ１の時の周波数解析情報の履歴情報として記憶される。そして、制御部１０１が、駆動時間がＴ２のときに周波数変化量を算出した際に、記憶部７２からＴ１のときの周波数変化量を読み出すことで、上記の耐久寿命予測制御を行う。
【００７３】
このようにすることで、摺動シート６５の耐久寿命を容易に予測することができるので、摺動シート６５を正しい耐久寿命まで使用することができる。また、摺動シート６５における部品交換の目安を判断しやすくなるので、画像形成装置１をメンテナンスするためのサービスマンが部品交換作業をする回数を削減できるとともに、無駄に部品交換をすることが抑制され、ひいては部品交換にかかるコストを低減することができる。
【００７４】
なお、図５については、周波数変化量が正の値、つまり、耐久が進むにつれ、ピーク値に対応する周波数が大きい側に変動する場合について例示しているが、耐久が進むにつれ、ピーク値に対応する周波数が小さい側に変動する場合もある。そのため、所定周波数は、正側のＶ０に加え、負側にも−Ｖ０が設定されている。また、周波数変化量が負の値になる例として、仮に正側と同様の絶対値を有する周波数変化量が得られた場合、負側の領域に正側の一次曲線（延長線Ｅ１を含む）を反転したような挙動を示す一次直線Ｄ１が形成される。そして、一次直線Ｄ１と負側の所定周波数である−Ｖ０との交点である時間が、摺動シート６５の耐久寿命に到達する時間と予測される。
【００７５】
また、図５では、駆動時間がＴ１とＴ２のときにおける２つの周波数変化量のみで摺動シート６５の耐久寿命を予測していたが、３つ以上の周波数変化量を用いて摺動シート６５の耐久寿命を予測しても良い。
【００７６】
図６には、駆動時間がＴ１とＴ２の間で、さらに６つの周波数変化量を加えた計８つの周波数変化量がプロットされたものが示されている。図６における８つの周波数変化量は、駆動時間がＴ１のときの周波数変化量である０と、駆動時間がＴ２のときの周波数変化量であるＶ２との間の範囲内のものである。制御部１０１は、これらの８つの周波数変化量の近似曲線を延長させた延長曲線Ｅ２を形成し、当該延長曲線Ｅ２と所定周波数Ｖ０とが交わるときの駆動時間であるＴ４を、摺動シート６５が耐久寿命になる時間と予測する。
【００７７】
このようにすることで、図５に示す例と同様の効果が得られるとともに、図５に示す例よりも摺動シート６５の耐久寿命の予測精度を向上させることができる。なお、図６においても、図５と同様に、負側にも所定周波数−Ｖ０が設定される。また、周波数変化量が負の値になる例として、仮に正側と同様の絶対値を有する周波数変化量が得られた場合、負側の領域に正側の曲線（延長曲線Ｅ２を含む）を反転したような挙動を示す曲線Ｄ２が形成される。そして、曲線Ｄ２と、負側の所定周波数である−Ｖ０との交点に係る時間が、摺動シート６５の耐久寿命に到達する時間と予測される。
【００７８】
また、制御部１０１は、予測した予測耐久寿命に応じて、摺動シート６５の耐久寿命を当該予測耐久寿命よりも長くするか否かについて判定するようにしても良い。
【００７９】
画像形成装置１の初期設定において、生産性向上の観点から、用紙Ｓの搬送速度等が比較的高速になるように設定されているが、部品交換回数の削減や、部品が交換されるまでに時間がかかるようなとき等、消耗部品の耐久性が重要視されるような場合も想定される。そのような場合、制御部１０１は、摺動シート６５の耐久寿命が予測耐久寿命よりも長くすると判定する。
【００８０】
図７では、制御部１０１は、周波数変化量がＶ２に到達した場合、摺動シート６５の耐久寿命を予測耐久寿命よりも長くなるように、例えば、用紙Ｓの搬送速度を遅くするように制御する。制御部１０１は、近似曲線の延長曲線Ｅ２よりも、時間に対する周波数変化量が小さくなるような予測曲線Ｅ３を形成し、当該予測曲線Ｅ３が所定周波数Ｖ０と交わる駆動時間であるＴ５を新たな予測耐久寿命とする。
【００８１】
これにより、摺動シート６５の予測耐久寿命を長くすることができるので、予測耐久寿命の時間を状況に応じて調整することができる。また、この制御は、周波数変化量がＶ２等の任意の値に到達した際に、自動で行っても良いし、ユーザーに生産性および耐久性の何れかを選択させるようにしても良い。ユーザーにこの制御を選択させる場合、例えば、操作部などにどちらかを選択させるような表示をする、アラーム等を発生させる等、警報を出力させるようにしても良い。
【００８２】
なお、図７における周波数変化量が負の値になる例として、仮に正側と同様の絶対値を有する周波数変化量が得られた場合、負側の領域に正側の曲線（延長曲線Ｅ２を含む），Ｅ３を反転したような挙動を示す曲線Ｄ３，Ｄ４が形成される。そして、曲線Ｄ３，Ｄ４と、負側の所定周波数である−Ｖ０との交点に係る時間が、状況に応じて摺動シート６５の予測耐久寿命となる。
【００８３】
次に、画像形成装置１における耐久寿命予測判定制御を実行するときの第１動作例について説明する。図８は、画像形成装置１における耐久寿命予測判定制御を実行するときの第１動作例を示すフローチャートである。図８における処理は、摺動シート６５が交換された後から、摺動シート６５が耐久寿命を迎えるまでの処理を前提としている。
【００８４】
図８に示すように、制御部１０１は、摺動シート６５の初期状態における周波数解析情報を取得する（ステップＳ１０１）。具体的には、制御部１０１は、ウォームアップ動作時において、定着部６０から発生する音を取得し、当該音の周波数解析を行うことで、周波数解析情報を取得する。
【００８５】
次に、制御部１０１は、取得した周波数解析情報を所定周波数解析情報として記憶部７２に記憶させる（ステップＳ１０２）。次に、制御部１０１は、画像形成装置１における動作を開始させる（ステップＳ１０３）。
【００８６】
次に、制御部１０１は、定着部６０から発生する音を取得し、当該音の周波数解析を行うことで、周波数解析情報を取得する（ステップＳ１０４）。ステップＳ１０４において周波数解析情報を取得するタイミングとしては、例えば、印刷ジョブにおいて用紙Ｓが定着ニップに到達する前や到達した後等、定着ニップに用紙Ｓが位置しないタイミングが挙げられる。また、制御部１０１は、印刷ジョブ中において、数枚に一回のタイミングで、当該周波数解析情報を取得しても良いし、一枚毎に周波数解析情報を取得しても良い。
【００８７】
次に、制御部１０１は、取得した周波数解析情報と、記憶部７２に記憶された所定周波数解析情報との差分である周波数変化量を算出し、当該周波数変化量が所定周波数Ｖ０の絶対値以上であるか否かについて判定する（ステップＳ１０５）。
【００８８】
判定の結果、周波数変化量が所定周波数Ｖ０の絶対値より小さい場合（ステップＳ１０５、ＮＯ）、制御部１０１は、予測耐久寿命を算出するか否かについて判定する（ステップＳ１０６）。
【００８９】
判定の結果、予測耐久寿命を算出しない場合（ステップＳ１０６、ＮＯ）、処理はステップＳ１０４に戻る。例えば、摺動シート６５の耐久がさほど進んでいない場合や、予測耐久寿命を算出して、時間がさほど経過していない場合等において、予測耐久寿命を算出しないと判定される。
【００９０】
一方、予測耐久寿命を算出する場合（ステップＳ１０６、ＹＥＳ）、制御部１０１は、予測耐久寿命を算出する（ステップＳ１０７）。予測耐久寿命の算出方法としては、図５や図６等の方法が用いられる。なお、ステップＳ１０６の処理を行わずに、ステップＳ１０７の処理を常時行うようにしても良い。
【００９１】
次に、制御部１０１は、外部に予測耐久寿命を報知するような制御を行う（ステップＳ１０８）。当該制御としては、例えば、通信部７１等を介して画像形成装置１のメンテナンスを管理する外部機関に予測耐久寿命を通知する制御等が挙げられる。ステップＳ１０８の後、処理はステップＳ１０４に戻る。
【００９２】
ステップＳ１０５の判定に戻り、周波数変化量が所定周波数Ｖ０の絶対値以上である場合（ステップＳ１０５、ＹＥＳ）、制御部１０１は、摺動シート６５が耐久寿命である旨を表示部２１等に表示させる（ステップＳ１０９）。その後、本制御は終了する。
【００９３】
次に、画像形成装置１における耐久寿命予測判定制御を実行するときの第２動作例について説明する。図９は、画像形成装置１における耐久寿命予測判定制御を実行するときの第２動作例を示すフローチャートである。図９における処理は、摺動シート６５が交換された後から、摺動シート６５が耐久寿命を迎えるまでの処理を前提としている。
【００９４】
図９に示すように、制御部１０１は、摺動シート６５の初期状態における周波数解析情報を取得する（ステップＳ２０１）。周波数解析情報の取得については、図８のステップＳ１０１と同様である。
【００９５】
次に、制御部１０１は、取得した周波数解析情報を所定周波数解析情報として記憶部７２に記憶させる（ステップＳ２０２）。次に、制御部１０１は、画像形成装置１における動作を開始させる（ステップＳ２０３）。
【００９６】
次に、制御部１０１は、定着部６０から発生する音を取得し、当該音の周波数解析を行うことで、周波数解析情報を取得する（ステップＳ２０４）。周波数解析情報を取得するタイミングとしては、図８のステップＳ１０４と同様である。
【００９７】
次に、制御部１０１は、取得した周波数解析情報と、記憶部７２に記憶された所定周波数解析情報との差分である周波数変化量を算出し、当該周波数変化量が、例えば、図６に示すＶ２の絶対値以上であるか否かについて判定する（ステップＳ２０５）。
【００９８】
判定の結果、周波数変化量がＶ２の絶対値より小さい場合（ステップＳ２０５、ＮＯ）、処理はステップＳ２０９に遷移する。一方、周波数変化量がＶ２の絶対値以上である場合（ステップＳ２０５、ＹＥＳ）、制御部１０１は、周波数変化量が所定周波数Ｖ０の絶対値以上であるか否かについて判定する（ステップＳ２０６）。
【００９９】
判定の結果、周波数変化量が所定周波数Ｖ０の絶対値より小さい場合（ステップＳ２０６、ＮＯ）、制御部１０１は、予測耐久寿命を長くするか否かについて判定する（ステップＳ２０７）。なお、ステップＳ２０７の判定については、ユーザーの動作指示に基づいて判定するようにしても良いし、画像形成装置１の設定に基づいて判定するようにしても良い。
【０１００】
判定の結果、予測耐久寿命を長くしないと判定した場合（ステップＳ２０７、ＮＯ）、処理はステップＳ２０９に遷移する。一方、予測耐久寿命を長くすると判定した場合（ステップＳ２０７、ＹＥＳ）、制御部１０１は、用紙Ｓの搬送速度を遅くする制御を行う（ステップＳ２０８）。なお、ステップＳ２０８においては、摺動シート６５の耐久寿命を長くできるような制御であれば、どのような制御が行われても良い。
【０１０１】
次に、制御部１０１は、予測耐久寿命を算出するか否かについて判定する（ステップＳ２０９）。判定の結果、予測耐久寿命を算出しない場合（ステップＳ２０９、ＮＯ）、処理はステップＳ２０４に戻る。
【０１０２】
一方、予測耐久寿命を算出する場合（ステップＳ２０９、ＹＥＳ）、制御部１０１は、予測耐久寿命を算出する（ステップＳ２１０）。予測耐久寿命の算出方法としては、図５や図６等の方法が用いられる。なお、ステップＳ２０９の処理を行わずに、ステップＳ２１０の処理を常時行うようにしても良い。
【０１０３】
次に、制御部１０１は、外部に予測耐久寿命を報知するような制御を行う（ステップＳ２１１）。当該制御としては、図８のステップＳ１０８と同様である。ステップＳ２１１の後、処理はステップＳ２０４に戻る。
【０１０４】
ステップＳ２０６の判定に戻り、周波数変化量が所定周波数Ｖ０の絶対値以上である場合（ステップＳ２０６、ＹＥＳ）、制御部１０１は、摺動シート６５が耐久寿命である旨を表示部２１等に表示させる（ステップＳ２１２）。その後、本制御は終了する。
【０１０５】
以上のような本実施の形態によれば、周波数解析情報と所定周波数解析情報との間の周波数変化量に基づいて摺動シート６５の耐久状態を判定する。そのため、摺動シート６５に係る動作時に発生する音の変化を正確に認識し、ひいては摺動シート６５の耐久状態を正確に判定することができる。
【０１０６】
また、周波数解析情報と所定周波数解析情報との間の周波数変化量に基づいて摺動シート６５の耐久寿命を予測するので、摺動シート６５の耐久寿命を容易に予測することができ、ひいては摺動シート６５を正しい耐久寿命まで使用することができる。
【０１０７】
また、周波数解析情報と所定周波数解析情報との間の周波数変化量に基づいて摺動シート６５の耐久状態を判定および予測するので、表層を有するような消耗部品であっても、正確に耐久状態を判定および予測することができる。
【０１０８】
また、摺動シート６５における部品交換の目安を判断しやすくなるので、画像形成装置１をメンテナンスするためのサービスマンが部品交換作業をする回数を削減できるとともに、無駄に部品交換をすることが抑制され、ひいては部品交換にかかるコストを低減することができる。
【０１０９】
なお、上記実施の形態では、制御部１０１が、集音部材７３により集音された音の周波数解析を行っていたが、本発明はこれに限定されず、制御部１０１とは異なるＣＰＵを有する周波数解析部により解析された周波数解析情報を制御部１０１が取得するようにしても良い。また、画像形成装置１の外部の周波数解析部により解析された周波数解析情報を制御部１０１が取得するようにしても良い。
【０１１０】
また、上記実施の形態では、集音部材７３が定着部６０における定着ニップの下流側に位置しているが、本発明はこれに限定されず、例えば、定着ニップの上流側に位置しても良い。
【０１１１】
また、上記実施の形態では、集音部材７３が画像形成装置１に設けられていたが、本発明はこれに限定されず、画像形成装置１に設けられていなくても良い。この場合、画像形成装置１の外部に位置する集音部材から音の情報を制御部１０１や周波数解析部等が取得するようにすれば良い。
【０１１２】
また、上記実施の形態では、消耗部品として摺動シート６５を例示したが、本発明はこれに限定されず、例えば、定着部６０における定着ベルト６１や加圧ローラー６３等の摺動シート６５以外の部品であっても良い。また、消耗部品としては、画像形成ユニット４１内の部品や中間転写ユニット４２内の部品等であっても良い。
【０１１３】
また、上記実施の形態では、第１特徴部分として、第１周波数Ｗ１、つまり、周波数解析情報における音の強度のピーク値を例示し、第２特徴部分として、第２周波数Ｗ２、つまり、所定周波数解析情報における音の強度のピーク値を例示したが、本発明はこれに限定されない。例えば、音の強度のピーク値以外に、周波数特性の波形に特徴的な箇所が検出される場合には、第１特徴部分および第２特徴部分を、周波数特性の波形のピーク値以外の部分にしても良い。
【０１１４】
また、上記実施の形態では、所定周波数解析情報として、初期状態の周波数特性を例示したが、本発明はこれに限定されず、例えば、記憶部７２等に記憶された、周波数特性の履歴情報の中から、選択された周波数特性を所定周波数解析情報としても良い。例えば、画像形成装置１の電源がオンされるような場合、前回電源をオンにしたときの履歴情報を所定周波数解析情報としても良い。
【０１１５】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１１６】
１  画像形成装置
６０  定着部
６１  定着ベルト
６２  加熱ローラー
６３  加圧ローラー
６４  パッド部材
６５  摺動シート
７２  記憶部
７３  集音部材
１０１  制御部
【図１】
2019095556.tif 000003
【図２】
2019095556.tif 000004
【図３】
2019095556.tif 000005
【図４】
2019095556.tif 000006
【図５】
2019095556.tif 000007
【図６】
2019095556.tif 000008
【図７】
2019095556.tif 000009
【図８】
2019095556.tif 000010
【図９】
2019095556.tif 000011